(57)【要約】【課題】操作面に隙間が無くて清掃が容易で防水性があり、１回の操作で入力できる操作性のよいリモコンを提供すること。【解決手段】操作面をおおむね垂直にし、スイッチは操作パネル１２の裏側に静電スイッチの電極１３、１４を設け静電容量の変化によって操作信号を入力する静電スイッチとする。静電スイッチの静電容量の変化が発生し、元に戻るまで時間Ｔを測定してから入力が有効か無効かを判断し、時間Ｔが所定時間以内の場合は人が静電スイッチに触って離した通常の動作であると判断し、所定時間以上の場合は人の操作で無いと判断して誤入力を防止する。【選択図】図２
2007315688.tif 000002
【特許請求の範囲】
【請求項１】
操作面を略垂直に設置し、前記操作面の静電容量の変化によって操作信号を入力する静電スイッチを設け、前記静電スイッチの静電容量の変化を検知してから所定時間内に前記静電スイッチの静電容量が変化前の状態に戻った場合に、前記静電スイッチによる入力を有効とすることを特徴とするリモコン。
【請求項２】
操作面に静電スイッチが複数あり、複数の静電スイッチの静電容量の変化が同時に起こっている期間があれば、前記静電スイッチによる入力を無効とする請求項１記載のリモコン。
【請求項３】
操作面の圧力を検知する圧力スイッチを設け、操作面に圧力がかかっている場合に、前記操作面の静電容量の変化による静電スイッチを受け付ける請求項１または２記載のリモコン。
【発明の詳細な説明】
【技術分野】
【０００１】
本発明は、台所、洗面所等に設置されるリモコンに関する発明である。
【背景技術】
【０００２】
従来では、濡れた手で触られても内部に水が侵入しないような給湯用リモコンの構造するため図８のようになっていた。図８は従来の給湯用リモコン１の斜視図で、図９はスイッチ部の断面図である。操作面パネル２にあるボタン３を指４で押すと、リモコン本体５にあるメンブレンシート６、リモコン本体の可動部７を介してタクトスイッチ８を押す。リモコン本体５とメンブレンシート６は、隙間無く接着されリモコン本体５内には水が侵入しないようになっていた。
【０００３】
台所で使用する水が侵入しない操作部として静電スイッチを使用した図１０に示すような加熱調理器があった。加熱調理器のトッププレート９表面にある操作部１０を使用者が接触することによる静電容量の変化を検出して操作信号とする（例えば、特許文献１参照）。
【特許文献１】特開２００４−１６５１６９号公報
【発明の開示】
【発明が解決しようとする課題】
【０００４】
しかしながら、前記従来のリモコンは、固定部の操作面パネル２と可動部のボタン３との間に隙間１１があり、ここに汚れが溜まり掃除がしにくいという課題があった。
【０００５】
特許文献１の加熱調理器の操作部は、平板のトッププレート９表面にあり、静電スイッチを使用しているため可動部が無いため隙間が無く清掃が容易で防水性がある。しかし鍋が操作部の上に置かれてもスイッチが反応するため誤動作を防ぐためにトッププレートに突起を設けたり、使用者が一定時間内に２回断続的にＯＮする操作をした場合のみ有効な操作とみなすという制約があった。
【０００６】
本発明は、前記従来の課題を解決するもので、掃除が容易で、１回の操作で入力できる操作性がよいリモコンを提供することを目的とする。
【課題を解決するための手段】
【０００７】
上記課題を解決するために本発明は、静電スイッチの静電容量の変化を検知してから所定時間内に静電スイッチの静電容量が変化前の状態に戻った場合に、静電スイッチによる入力を有効とするものである。
【発明の効果】
【０００８】
本発明のリモコンは、操作面に隙間が無くて清掃が容易で防水性があり、１回の操作で入力できる操作性のよいものである。
【発明を実施するための最良の形態】
【０００９】
第１の発明は、操作面を略垂直に設置し、操作面の静電容量の変化によって操作信号を入力する静電スイッチを設けたリモコンであって、静電スイッチの静電容量の変化を検知してから所定時間内に静電スイッチの静電容量が変化前の状態に戻った場合に、静電スイッチによる入力を有効とするものである。
【００１０】
これによれば、操作面の隙間を無くすことができ清掃が容易で防水性のあるリモコンを
提供できるだけでなく、例えばハンドクリームやマーガリン等の静電容量を狂わせる物質が静電スイッチの上に付着した場合の誤入力を防止することができる。
【００１１】
第２の発明は、特に第１の発明において、操作面に静電スイッチが複数ある場合、複数の静電スイッチの静電容量の変化が同時に起こっている期間があれば、静電スイッチによる入力を無効とするものである。
【００１２】
これによれば、操作面に洗剤の泡等が掛かり流れ落ちる場合にも誤入力を防止することができる。
【００１３】
第３の発明は、特に第２の発明において、操作面の圧力を検知する圧力スイッチを設け、操作面に圧力がかかっている場合に、操作面の静電容量の変化による静電スイッチを受け付けるので、操作面に異物が付着しただけで誤動作することを防止することができる。
【００１４】
以下、本発明の実施の形態について、図面を参照しながら説明する。なお、実施の形態によって本発明が限定されるものではない。
【００１５】
（実施の形態１）
図１は、本発明の第１の実施の形態におけるリモコンの斜視図である。操作パネル１２はスイッチのある場所が印刷されたアクリル板である。図２は、リモコンを側面から見た断面図である。操作パネル１２の裏にはスイッチ毎に静電スイッチの電極１３、１４が貼り付けられており、指４で操作パネル１２の表面を触るとその電極１３、１４の静電容量が増加して電極１３、１４に接続された回路（図示せず）から印加された高周波の振幅が小さくなることでどのスイッチが触られたかがわかる。表示部の液晶１５も操作パネル１２のアクリル板の透明部の裏にあるためリモコンの表面は平面で隙間が無く清掃が容易で防水性がある。
【００１６】
静電スイッチは従来のタクトスイッチと違い、力が加わらなくても金属や水分を含んだ物が接触するだけで反応する。操作面をおおむね垂直に設置することで、上に物が置かれてそれに反応する誤動作が無くなる。操作面に水がかかった時にも静電容量が増加するが、水は止まること無く流れ落ちてしまう。通常スイッチの入力はチャタリングを除くため０．０５秒程度以上安定したときに有効な入力と判定しているが、水による誤動作はこの程度で除去できる。多量の水かかりが心配される場合には０．１秒から０．２秒に延ばせばよい。
【００１７】
一方ハンドクリームやマーガリン等水分を多く含む物質は静電容量を増加させ、粘性が高いため付着すると掃除されるまでそのままになる。図３は静電スイッチ入力のタイミングチャートである。静電スイッチの静電容量の変化が発生し、元に戻るまで時間Ｔを測定してから入力が有効か無効かを判断して動作する。時間Ｔが所定時間（例えば２秒）以内の場合は人が静電スイッチに触って離した通常の動作であると判断し、所定時間以上の場合は人の操作で無いと判断して誤入力を防止する。
【００１８】
操作面に洗剤の泡が掛かり流れ落ちる場合はかなりゆっくりであり、ひとつのスイッチの上を通過するのに所定時間（例えば２秒）以上かかる場合もあるが濃度によっては所定時間以内に通過してしまう場合もある。図４のように操作面に静電スイッチが複数あり、複数の静電スイッチの電極１３、１４にまたがって洗剤の泡１６が流れ落ちる場合には、図５のタイミングチャートのＴ１のように静電容量の変化が同時に重なって起こる期間がある。指１本で操作すれば一度に二つの入力は無いので、同時に静電容量が変化している期間があればＴ１秒（例えば２秒）以内に静電容量が元に戻っても入力を無効とすることにより、操作面に洗剤が掛かったような場合に誤入力を防止することができる。
【００１９】
（実施の形態２）
図６は、本発明の第２の実施の形態におけるリモコンの側面から見た断面図である。リモコン１７は壁１８に掛けられており、リモコン１７の裏に機械的に動くタクトスイッチ１９が設けられている。タクトスイッチ１９ではリモコン１７に加えられたに圧力を検知する。操作面には静電容量の変化による静電スイッチの電極１３、１４があり、どのスイッチの静電容量の変化があるかがわかるが、静電スイッチは操作面に異物が付着しただけでも反応するので、タクトスイッチ１９がオンし操作面に圧力がかかっている場合のみ、操作面の静電容量の変化による静電スイッチを受け付けることにより誤動作を防止することができる。
【００２０】
なお、タクトスイッチは例えば図７（ａ）、図７（ｂ）のような形態であってもよい。図７（ａ）、図７（ｂ）は、リモコン本体２０に対し操作パネル２１全体がヒンジ部２３により支えられており、ひとつのスイッチとして動く構造になっている。そして、操作パネル２１が前面から押されたときは、その圧力によりリモコン２０に設けられたタクトスイッチ２２が操作パネル２１の裏側で押されるようにしてある。これによれば、操作パネル２１が可動するための隙間は頻繁に触って汚れ易い操作パネル２１前面でなく側面に形成されるので、汚れが付きにくくなる。
【００２１】
以上、給湯器用のリモコンとして説明してきたが、これに限る物でなく、電子レンジやＩＨ、ガスレンジの操作パネル、エアコンのリモコン、ＡＶ機器の操作パネル、照明のリモコンでも良い。
【産業上の利用可能性】
【００２２】
以上のように、本発明にかかるリモコンは、操作面のスイッチを垂直にし、静電スイッチとすることで操作面の隙間を無くすことができ清掃が容易で防水性のあるリモコンとすることができ、給湯器や電子レンジ、ＩＨ、ガスレンジの操作パネル、エアコンのリモコン、ＡＶ機器の操作パネル、照明のリモコンなどに適用できる。
【図面の簡単な説明】
【００２３】
【図１】本発明の実施の形態１のリモコンの斜視図
【図２】本発明の実施の形態１のリモコンのスイッチ部の断面図
【図３】本発明の実施の形態１の静電スイッチ入力のタイミングチャート
【図４】本発明の実施の形態１のリモコンの断面図
【図５】本発明の実施の形態１の静電スイッチ入力のタイミングチャート
【図６】本発明の実施の形態２のリモコンの側面から見た断面図
【図７】（ａ）本発明の実施の形態２のリモコンの斜視図（ｂ）本発明の実施の形態２のリモコンの断面図
【図８】従来のリモコンの斜視図
【図９】従来のリモコンのスイッチ部の断面図
【図１０】従来の加熱調理器図
【符号の説明】
【００２４】
１２  操作パネル
１３  静電スイッチの電極
１４  静電スイッチの電極
１９  タクトスイッチ
２１  操作パネル
２２  タクトスイッチ
【図１】
2007315688.tif 000003
【図２】
2007315688.tif 000004
【図３】
2007315688.tif 000005
【図４】
2007315688.tif 000006
【図５】
2007315688.tif 000007
【図６】
2007315688.tif 000008
【図７】
2007315688.tif 000009
【図８】
2007315688.tif 000010
【図９】
2007315688.tif 000011
【図１０】
2007315688.tif 000012